【事件の表示】
　特願２００９−　　１２４０「ディジタル記録再生装置」拒絶査定不服審判事件〔平成２１年　７月　９日出願公開、特開２００９−１５１９２２〕について、次のとおり審決する。
【結　論】
　本件審判の請求は、成り立たない。
【理　由】
第１　手続の経緯
　本願は、平成１１年４月２３日（優先権主張平成１０年４月２７日、日本国）を国際出願日とする特願２０００−５４６３６６号の一部を平成１９年２月２６日に新たな特許出願とした特願２００７−４４８５０号の一部をさらに新たな特許出願としたものであって、平成２２年９月２２日付けの拒絶理由通知に対する応答期間内の同年１１月２９日付けで手続補正がなされた、平成２３年５月１３日付けの最後の拒絶理由通知に対する応答期間内の同年７月１５日付けで手続補正がなされたが、同年８月１日付けで拒絶査定がなされ、これに対し、同年１１月１５日付けで拒絶査定不服審判が請求されるとともに、同日付で手続補正がなされた。
　その後、平成２３年１２月２１日付けで前置報告書を利用した審尋がなされ、平成２４年３月５日付けで回答書が提出されたものである。
　
第２　平成２３年１１月１５日付けの手続補正についての補正却下の決定
　
［補正却下の決定の結論］
　平成２３年１１月１５日付けの手続補正を却下する。
　
［理由］
１．本件補正
　平成２３年１１月１５日付けの手続補正（以下「本件補正」という。）による特許請求の範囲の補正について、補正前に、
「【請求項１】
　ディジタル信号を記録および再生するディジタル信号記録再生装置であって、
　番組部分とコマーシャルメッセージ部分とを含む、ディジタル映像信号およびディジタル音声信号を受信する受信手段と、
　前記受信手段により受信したディジタル映像音声信号を第１の記録媒体に記録し、前記第１の記録媒体から前記ディジタル映像音声信号を再生する第１の記録再生手段と、
　前記ディジタル映像音声信号の中から前記番組部分と前記コマーシャルメッセージ部分の切替え位置を検出する検出手段と、
　前記第１の記録再生手段により再生された前記ディジタル映像音声信号をランダムアクセスに適した第２の記録媒体に記録し、前記検出手段により検出された前記切替え位置に基づいて、当該ディジタル映像音声情報からコマーシャルメッセージ部分を除いた前記番組部分を前記第２の記録媒体から再生し、且つ前記記録動作と前記再生動作の並列処理を行なうことが可能な第２の記録再生手段とを備え、
　前記第１の記録再生手段において前記ディジタル映像音声信号を第１の時刻から第２の時刻にかけて再生した場合に、前記第２の記録再生手段において前記ディジタル映像音声信号が前記第１の時刻から所定時間遅延し、かつ前記第２の時刻よりも先行した第３の時刻から前記再生開始した際、前記第２の記録媒体から前記番組部分が連続的に再生されることを特徴とするディジタル記録再生装置。
　【請求項２】
　前記検出手段は、前記ディジタル映像音声信号が変化する部分が所定時間間隔で発生した部分を前記切換え位置と検出することを特徴とする請求項１に記載のディジタル記録再生装置。
　【請求項３】
　前記ディジタル映像音声信号が変化する部分とは、音声信号が無音となる部分で、かつ映像信号のレベルが急激に変化する部分であることを特徴とする請求項２に記載のディジタル記録再生装置。」
　とあったところを、
　
「【請求項１】
　ディジタル信号を記録および再生するディジタル信号記録再生装置であって、
　番組部分とコマーシャルメッセージ部分とを含む、ディジタル映像信号およびディジタル音声信号を受信する受信手段と、
　前記受信手段により受信したディジタル映像音声信号を第１の記録媒体に記録し、前記第１の記録媒体から前記ディジタル映像音声信号を再生する第１の記録再生手段と、
　前記ディジタル映像音声信号の中から前記番組部分と前記コマーシャルメッセージ部分の切替え位置を検出する検出手段と、
　前記第１の記録再生手段により
前記第１の記録媒体から
　前記第１の記録再生手段において前記ディジタル映像音声信号を第１の時刻から第２の時刻にかけて再生
する
合、
前記コマーシャルメッセージ部分に対応する
前記
動作
することにより
を
する
　【請求項２】
　前記検出手段は、前記ディジタル映像音声信号が変化する部分が所定時間間隔で発生した部分を前記切換え位置と検出することを特徴とする請求項１に記載のディジタル記録再生装置。
　【請求項３】
　前記ディジタル映像音声信号が変化する部分とは、音声信号が無音となる部分で、かつ映像信号のレベルが急激に変化する部分であることを特徴とする請求項２に記載のディジタル記録再生装置。」
　とするものである。
　なお、請求項１において、「当該ディジタル映像音声情報」は明らかに「当該ディジタル映像音声信号」の誤記であるから、以下「当該ディジタル映像音声信号」として検討する。
　　
２．補正の適否
　本件補正は、概略、補正前の請求項１において、「前記第１の記録再生手段により再生された前記ディジタル映像音声信号」を「前記第１の記録再生手段により
前記第１の記録媒体から
　したがって、本件補正は、平成１８年法律第５５号改正附則第３条第１項によりなお従前の例によるとされる同法による改正前の特許法第１７条の２第４項第２号に掲げる特許請求の範囲の減縮を目的とするものに該当する。
　
　次に、本件補正後における特許請求の範囲に記載されている事項により特定される発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かを請求項１に記載された発明について以下に検討する。
　
　審判請求人は、請求の理由において、「手続補正書における補正は出願当初の明細書中例えば段落［０１８３］等の記載に基づくものであり、且つ、特許請求の範囲の限定的減縮を目的とするものであるため、補正の要件を満たすものであります。」と主張している。
　そこで、明細書の記載について検討する。
　段落【０１８３】には、「前記映像・音声分離部２０６へ入力されるディジタルAV信号の読み出し速度は、同第１７図２０３の映像・音声分離部へ入力されるディジタルAV信号よりも速く読み出しが設定されてあって，常時先読み動作を行っている。これは、再生時にCM部分を前もって予測を行うためであって、例えば少なくとも実時間において６０秒以上に相当するディジタルAV信号の先読み動作がなされている。前記先読み再生動作において、CM予測部２０８がCM開始点およびまたはCM終了点を認識を行い、該認識信号は制御マイコン９１に入力され、HDD装置５２に対して前記伸張後のディジタルAV信号に対してCM部分をジャンプ再生或いは、CM部分の高速再生を行うように制御される。ディジタル再生処理５６から出力された伸張後のディジタルAV信号は、映像・音声分離部２０３へ入力され、ディジタル映像信号とディジタル音声信号とに分離し、それぞれ映像出力処理部２１０、音声出力処理２０７に入力される。映像出力処理部２１０および音声出力処理部２０７により、元のアナログ映像信号と音声信号に復元処理が行われ、映像出力端子７６および音声出力端子７５から出力される。」と、６０秒以上に相当するディジタルAV信号の先読み動作がなされること（所定時間の遅延）、及び、CM予測部がCM開始点および終了点を認識を行い、該認識信号は制御マイコンに入力され、HDD装置に対して前記伸張後のディジタルAV信号に対してCM部分をジャンプ再生或いは、高速再生を行うことは記載されているが、所定時間の遅延について「コマーシャルメッセージ部分に対応」させることは記載が無く、示唆も無い、結局、本件補正における請求項１の記載は発明の詳細な説明に記載されたものではないから、特許法第３６条第６項第１号に規定する要件を満たしているとすることができない。
　
　なお、段落【００２８】にも、「また、信号を記録および再生する記録再生装置であって、第３の信号を第３の記録媒体から再生する第３の記録再生手段と、前記第３の記録再生手段で再生された前記第３の信号を第４の記録媒体に記録し、前記第４の記録媒体から前記第３の信号を再生する第４の記録再生手段と、前記第４の記録再生手段で再生された前記第３の信号を出力する出力手段と、信号の処理を制御する制御手段とを備え、前記制御手段は、前記第３の記録再生手段において前記第３の信号が第５の時刻から第６の時刻にかけて再生されるとき、前記出力手段において前記信号が前記第５の時刻から所定時間遅延し、かつ前記第６の時刻よりも先行した第７の時刻から出力開始されるように制御する構成とする。これにより、出力する時刻を再生した時刻より遅延させることができる。」と、所定時間遅延させることは記載されているが、該所定時間が「コマーシャルメッセージ部分に対応する」ことは記載が無く、示唆もない。
　
　また、本件補正における請求項１についての記載が発明の詳細な説明に記載さたものであるとしても、第１の記録手段においてディジタル映像音声信号を再生することを契機として、CM判定を行いながら、第２の記録媒体を用いて番組部分を連続的に再生するものであり（審判請求理由および回答書）、コマーシャルメッセージ部分を検出しながらCM判定を行うのであるから、CM判定前に「コマーシャルメッセージ部分に対応した時間」が特定されるかが不明であり、結局、本件補正における請求項１の記載は、特許を受けようとする発明が明確でなく、特許法第３６条第６項第２号に規定する要件を満たしているとすることができない。
　
３．むすび
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願発明　
　平成２３年１１月１５日付けの手続補正は上記のとおり却下されたので、本願の請求項１ないし３に係る発明は、平成２３年７月１５日付け手続補正書により補正された特許請求の範囲の請求項１ないし３に記載されたとおりのものと認められるところ、請求項１に係る発明（以下「本願発明」という。）は、上記「第２［理由］１．」に本願補正前の請求項１として記載したとおりのものである。
　　
２．引用例
　原査定の拒絶の理由に引用された、本願の優先権主張の日前に頒布された刊行物である国際公開第９６／３３５７９号パンフレット（国際公開日平成８年１０月２４日、以下「引用例１」という。特表平１１−５０４１７５号公報参照）には、、図面と共に、以下の記載がある。翻訳文は前記公表公報によるものである（なお、下線は当審で付与した。）。
　
（１）「FIELD OF THE INVENTION
 The present invention relates to in-home recording,storage,and playback of digital video program content.」（１頁３〜５行）
（発明の分野
　
本発明はデジタル・ビデオ・プログラム内容の家庭での記録、保存、再生に関する
　
（２）「As used herein,video program data refers to video data and/or audio data.」（４頁２９〜３０行）
（本明細書で用いている
「ビデオプログラム」データは、ビデオ・データおよび
オーディオ・データを表わす
　
（３）「SUMMARY OF THE INVENTION
 The present invention addresses the foregoing objectives by methods and apparatus that combine the features of an archival storage medium such as digital video tape:namely,potentially large storage capacity,but low tolerance for variable data rate,and essentially linear program access;with the complementary features of a relatively high-access storage device such as a fixed disk drive:namely,tolerance for a highly variable data rate,and random access capability,but relatively lower storage capacity.
 In accordance with the present invention,video program data in compressed form is read from the archival medium,which may contain several feature-length movies or other video program,and transferred to the high-access medium in segments.This transfer occurs at a rate faster than real-time,where real-time is defined as nomal presentation speed of the video program（e.g.several minutes of program data may be transferred in a matter of seconds）.Each segment to be transferred may contain,for example,a fixed amount of data corresponding to an average of one half hour of program content,as determined by the compression ratio which may vary over time.This data may then be real from the high-access medium and presented to the viewer.Enough program data is temporarily stored on the high-access medium for the viewer to be able to fast forward or rewind through the program,or to instantly jump to other destinations within an interactive video program,so long as those destination points lie within the segments currently stored in the high-access medium.」（５頁１〜３１行）
（発明の要約
　本発明は、デジタル・ビデオテープなどのアーカイブ記憶媒体の特徴、即ち大容量の記憶が可能だが可変データ・レートに対する許容性が小さく、基本的に線形のプログラムアクセスと、固定ディスクドライブ装置などの比較的高速なアクセス記憶デバイスの相補的な特徴、即ち高可変データ・レートに対する許容性と、ランダムアクセス能力があるが比較的小さな記憶容量とを組み合せる方法ならびに装置によって前述の目的を実現する。
　本発明によれば、圧縮された形の
ビデオプログラム・データは、数本の長編映画またはその他のビデオプログラムを含み得るアーカイブ媒体から読み出され、高速アクセス媒体へセグメントとして転送される
このデータは高速アクセス媒体から読み出されビューワー（viewer）に提示される
　
（４）「DETAILED DESCRIPTIN OF THE INVENTION
 The present invention involves a unique application of data control and management principles that allows a user to record video information in highly compressed from to an archival storage medium such as a digital video tape（DVT）;to play video programs stored in compressed form from such archival storage medium;or to simultaneously record to such archival medium while viewing information or interacting with a program from the same archival medium.In the preferred embodiment,the invention utilizes the technique of variable bit rate（VBR）encoding and decoding of video data（including soundtrack or audio data,and using a compression algorithm such as MPEG）to reduce the total amount of storage needd both on the archival medium and on a high-access storage devece such as a hard disk that acts,in essence,as a twe-way,first-in-first-out（FIFO）buffer,passing data from the archival storage medium to the viewer,from an input source,such as a broadcast or cable television signal,to the archival medium,or both simultaneously.」（８頁１〜２１行）
（発明の詳細な説明
　本発明は
高度に圧縮した形でデジタル・ビデオテープ（「ＤＶＴ」）などのアーカイブ記憶媒体へユーザがビデオ情報を記録でき、圧縮した形で記録してあるビデオ・プログラムを当該アーカイブ記憶媒体から再生し
　
（５）「Overall Architecture
 Figure 2 illustrates the general,high level architecture of the pressent invention.In the embodiment illustrated,the present invention is integrated into a single set-top box,11 so-called because it is a physically separete box that is coupled to a viewer's television 12 and VCR 13（as illustrated in Figure 1）,although the invention could incorporate the VCR 13 itself,eliminating the need for another box.As shown in Figure 2,the set-top box contains a control/management device 14 coupled to a user interface 15.The user interface 15 may be a remote control,through which a user may issue commands such as play,stop,record,or trick-mode function commands such as search,fast forward and the like.If an interactive program is being viewed,the viewer would use the interface to respond to prompts in the program,and his or her responses would direct the control /management device 14 to access a different portion of the program.
 The control/management device 14 also receives status information from an input buffer 16,which provides temporary storage for incoming signals,possibly encoded and encrypted,such as broadcast or cable data streams.The input buffer 16 signals to the control/management device 14 when it has achieved a cettain level of fullness,so that its contents may be written to the disk 17 at the direction of the control/management device 14.The control/management device 14 also receives updates from an output buffer 18 which tells the control/management device 14 when it achieves a certain state of emptiness and is ready to receive more data from the disk 17.The output buffer 18 also sends data to the television set 12 or monitor after decording at the direction of the control/management device 14.The decoder 19 can be preceded by a data decryption unit if access control is in use.
 The control/management device 14 also sends and receives signals from the archival storage medium 20,in the preferred embodiment a digital video tape,monitoring and commanding tape position based on the current status of  information stored on the high acess storage device 17,in the preferred embodiment a hare disk,and on user commands issued through the user interface 15.Finally,the control/management device 14 communicates with the high-access storage device 17,directing it to accept data from the input buffer 16 or from the archival storage medium 20 via a buffer,or to transfer data to the output buffer 18,or the archival storage medium 20,and indicating which segments are to be read from or written to.」（１１頁７行〜１２頁２１行）
（
アーキテクチャ概要
　図２は本発明の一般的な
高レベル・アーキテクチャ
　制御／管理デバイス１４は入力バッファ１６から、すなわち、
放送またはケーブルテレビのデータ・ストリームなどの符号化され暗号化されている入力（incoming）信号
を
受信する
　
制御／管理デバイス１４は
デジタル・ビデオテープとするアーカイブ記憶媒体２０に信号を送信し
ハードディスクとする高速アクセス記憶デバイス１７
制御／管理デバイス１４は高速アクセス記憶デバイス１７と通信し
アーカイブ記憶媒体２０からのデータをバッファ経由で受け入れるように、または出力バッファ１８へ
データを転送するように指示し、どのセグメントを読み込むべきかまたは書き込むべきかを表示する
　
（６）「Figures 3a and 3b illustrate the overall processes for storage,retrieval ,playback,and recording in accordannce with the present invention .Figure 3a illustrates the process of playing a video program stored on the archival medium 20.Data is first transferred to the high-access medium 17,then decoded and displayed to 
the viewer （steps represented by elements 23 and 24）.The process is repeated as necessary so that a sufficient amount of video data,both ahead of and behind the portion of the program currently being displayed,is available on the high-access storage device 17（step represented by element 25）.
 Figure 3b illustrates the recording process of the present invention.As shown,a televised signal is encoded and stored in a temporary buffer,encrypted if necessary and desired,and then stored to the high-access medium 17（steps represented by elements 26,27,and 28）.If sufficient data has accumulated in high-access storage ,and if the archival storage medium 20 is then available,the data is then transferred to the archival medium 20（steps represented by elements 29,30,and 31）.This process is repeated until the entire televised program has been recorded on the archival medium 20.
 The processes illustrated in Figures 3a and 3b are not always independent.Rather,during simultanneous recording and playback,access to the high-access storage device for reading or writing is prioritized such that there is always sufficient program data available for display and sufficient space in the buffer 16 containing data from the televised signal to prevent overflow（and thus,the possibility that a portion of the televised program will not be stored）.」（１３頁８行〜１４頁４行）
（図３ａおよび図３ｂは本発明による記憶、取り出し、再生、録画の処理全体を示す。図３ａでは
アーカイブ記憶媒体２０に記憶されたビデオ・プログラムを再生する処理を示す。データは第１に高速アクセス媒体１７に転送され、次に復号されてビューワーに表示される
　図３ｂは本発明の記録処理を示す。図示したように、
テレビ信号は符号化されて一時バッファに記憶され
テレビ放送プログラム全体がアーカイブ記憶媒体２０に記録される
　図３ａと図３ｂに図示した処理は常に独立しているものではない。むしろ、同時録画再生の間に、読み取りまたは書き込みのための高速アクセス記憶デバイスへのアクセスは表示のために必ず十分なプログラム・データを利用できるように、またオーバフローを（したがってテレビプログラムの一部が記憶されない可能性が出てくるのを）防止するためテレビ信号からのデータを含む入力バッファ１６に十分なスペースが常にあるように優先順位をつける。）
　
（７）「As discussed previously ,accessing information from the disk 17 ,rather than directly from the DVT 20,allows the viewer to take advantage of the high-access medium 17 to jump in near real time from one part of a program to another.」（１５頁２〜６行）
（すでに説明したように、
直接DVT２０からではなくディスク１７から情報をアクセスすることで、ビューワーは高速アクセス媒体１７を利用してプログラムのある一つの部分から別の部分へほぼリアルタイムでジャンプする
　
　上記摘示事項及び図面の記載を総合勘案すると、引用例１には、次の発明（以下「引用発明」という。）が記載されているものと認める。
　　
「放送またはケーブルテレビのビデオ・データおよびオーディオ・データを含むデータ・ストリームを受信し、
　前記データ・ストリームをデジタル・ビデオテープとするアーカイブ媒体に記録し、
　前記アーカイブ記憶媒体に記録された前記データ・ストリームを再生し、
　前記アーカイブ媒体から再生された前記データ・ストリームをランダムアクセス能力があるハードディスクなどの高速アクセス媒体に記録し、前記高速アクセス媒体から前記データ・ストリームを読み出してビューワーに表示する処理を必要なだけ繰り返す高レベル・アーキテクチャ。」
　　
　同じく、原査定の拒絶の理由に引用された、本願の優先権主張の日前に頒布された刊行物である特開平９−２８４７０６号公報（平成９年１０月３１日公開、以下「引用例２」という。）には、図面と共に、以下の記載がある（なお、下線は当審で付与した。）。
　
（８）「【０００２】
【従来の技術】
近年、テレビジョン放送番組等において、その番組の合間に挿入されたコマーシャルをカットして放送番組のみを再生することができる装置が開発されている
　
（９）「【００１１】
【発明の実施の形態】本発明の信号処理装置の具体的な実施の形態について，以下に図面を参照して説明する。
図１は、本発明による
テレビジョン放送信号中のコマーシャル位置を検出する
【００１２】無音位置検出回路１は、コマーシャルの開始及び終了時の無音区間を検出するためのものである。この回路は、図４に示すように、全波整流器６、エンベロープ（包絡線）検出器７、コンバータ（比較器）８、及び無音検出器９からなる。
【００１３】全波整流器６は、その入力に供給されるテレビジョン放送の音声信号のエンベロープを全波整流または半波整流してエンベロープを出力し、そのエンベロープをエンベロープ検出器７で検出し、その結果をコンパレータに供給する。コンパレータ８はこの信号を閾値と比較して閾値以下の部分を検出する。閾値（スレッショルドレベル）は、放送受信中の最も低いレベルからｓデシベル（例えば６デシベル）上のレベルを採用する。
【００１４】エンベロープ検出器７で検出された信号の値が閾値以下となる部分が連続して予め定められた値a秒（例えば０．５秒）以上、且つｂ秒（例えば５秒）以下であれば、これを無音として検出する。こうして検出された無音の存在する位置が、図１の無音位置検出回路１で検出されて、無音間隔検出回路２に送られる。
【００１５】無音間隔検出回路２は、無音位置検出回路１からのデータを基に、無音部分同士の間隔を検出する。即ち、或る時点で無音を検出してから次に無音を検出するまでの間の長さを計測する。
【００１６】コマーシャル位置検出回路３は、コマーシャルが予め決められた枠内で放送されるので、通常決まった間隔毎にコマーシャルが切り替わるという特徴を利用して、コマーシャル間隔が正しいか否かを検出するものである。
【００１７】無音部分を検出すると、それを基にそれ以降の無音部分がｃ秒（例えば２．５秒）の倍数間隔ｃ＊e秒（例えば１３０秒）（誤差はｄ秒、例えば１秒）以内にｆ回（例えば３回）以上来るかどうかをチェックする。
【００１８】以上すべての項目を満足した場合、無音部分に挟まれている部分をコマーシャル部分と判断する。以上、全てディジタルでもアナログでも処理が可能である。
【００１９】
コマーシャル位置記録回路４は、コマーシャル位置検出回路３から送られて来る情報に基づいてコマーシャル開始位置とコマーシャルの長さ又はコマーシャル終了位置を求め
記録装置に記録する
　
（１０）「【００３１】図２は、コマーシャルカット再生装置のシステム構成を示す。コマーシャル位置記録回路４は、図１に示したコマーシャル位置記録回路である。同図に示すトリックプレイ・コントローラ１０は、この
コマーシャル位置記録回路４から読み出したデータを基に原テレビション放送番組に含まれるコマーシャル部分をカットして再生するようにプレーヤ１１に指示を出す。プレーヤ１１はその指示に従って記録されたテレビジョン放送番組を再生する
　　
３．対比
　そこで、本願発明と引用発明とを対比する。
　
（１）引用発明の「データ・ストリーム」は、符号化されており、ディジタル信号であることは明らかであり、また、放送に番組部分が含まれることは極普通のことである。そして引用発明の「データ・ストリーム」は「ビデオ・データおよびオーディオ・データ」を含むから、本願発明の「番組部分を含む、」「ディジタル映像信号およびディジタル音声信号」ないし「ディジタル映像音声信号」に相当する。
（２）引用発明は、データ・ストリームを受信するものであるから、受信手段を備えているといえる。
（３）引用発明の「アーカイブ媒体」は、本願発明の「第１の記録媒体」に相当し、また、データ・ストリームを記録、再生するものであるから、引用発明は、本願発明の「前記受信手段により受信したディジタル映像音声信号を第１の記録媒体に記録し、前記第１の記録媒体から前記ディジタル映像音声信号を再生する第１の記録再生手段」に相当する構成を備えている。
（４）引用発明の「高速アクセス媒体」は、「ランダムアクセス能力がある」ものであるから、本願発明の「第２の記録媒体」に相当する。そして、引用発明は、「前記アーカイブ媒体から再生された前記データ・ストリームをランダムアクセス能力があるハードディスクなどの高速アクセス媒体に記録し、前記高速アクセス媒体から前記データ・ストリームを読み出してビューワーに表示する処理を必要なだけ繰り返す」ものであり、記録動作と再生動作の並列処理を行っているといえるから、引用発明は、本願発明の「前記第１の記録再生手段により再生された前記ディジタル映像音声信号をランダムアクセスに適した第２の記録媒体に記録し、」「前記番組部分を前記第２の記録媒体から再生し、且つ前記記録動作と前記再生動作の並列処理を行なうことが可能な第２の記録再生手段」及び「前記第１の記録再生手段において前記ディジタル映像音声信号を」「再生した場合に、前記第２の記録再生手段において前記ディジタル映像音声信号が」「前記再生開始した際、前記第２の記録媒体から前記番組部分が連続的に再生される」に相当する構成を備えている。
（５）引用発明の「高レベル・アーキテクチャ」は、ディジタル信号を記録再生するものであるから、本願発明の「ディジタル記録再生装置」に相当する。
　
　そうすると、本願発明と引用発明とは、次の点で一致する。
＜一致点＞
　「ディジタル信号を記録および再生するディジタル信号記録再生装置であって、
　番組部分を含む、ディジタル映像信号およびディジタル音声信号を受信する受信手段と、
　前記受信手段により受信したディジタル映像音声信号を第１の記録媒体に記録し、前記第１の記録媒体から前記ディジタル映像音声信号を再生する第１の記録再生手段と、
　前記第１の記録再生手段により再生された前記ディジタル映像音声信号をランダムアクセスに適した第２の記録媒体に記録し、前記番組部分を前記第２の記録媒体から再生し、且つ前記記録動作と前記再生動作の並列処理を行なうことが可能な第２の記録再生手段とを備え、
　前記第１の記録再生手段において前記ディジタル映像音声信号を第１の時刻から第２の時刻にかけて再生した場合に、前記第２の記録再生手段において前記ディジタル映像音声信号が前記再生開始した際、前記第２の記録媒体から前記番組部分が連続的に再生されるディジタル記録再生装置。」
　
　そして、次の各点で相違する。
＜相違点＞
（ａ）「ディジタル映像音声信号」について、本願発明は、番組部分と「コマーシャルメッセージ部分」とを含むものであるのに対し、引用発明は、そのようなものでない点。
　
（ｂ）本願発明は、「前記ディジタル映像音声信号の中から前記番組部分と前記コマーシャルメッセージ部分の切替え位置を検出する検出手段」を備えているのに対し、引用発明は、そのような検出手段を備えていない点。
　
（ｃ）本願発明は、「前記検出手段により検出された前記切替え位置に基づいて、当該ディジタル映像音声信号からコマーシャルメッセージ部分を除い」て再生しているのに対し、引用発明は、そのようなものでない点。
　
（ｄ）本願発明は、「前記第１の記録再生手段において前記ディジタル映像音声信号を第１の時刻から第２の時刻にかけて再生した場合に、前記第２の記録再生手段において前記ディジタル映像音声信号が前記第１の時刻から所定時間遅延し、かつ前記第２の時刻よりも先行した第３の時刻から前記再生開始」するものであるのに対し、引用発明は、第２の記録再生手段の再生開始について特段の限定がなされていない点。
　
４．判断
　そこで、上記相違点について検討する。
　
相違点（ａ）について
　テレビジョン放送番組において、その番組の合間にコマーシャルを挿入することは極普通の放送形態であるから、引用発明において、ディジタル映像音声信号を番組部分と「コマーシャルメッセージ部分」を含むものとすることは当業者が適宜なし得ることである。
　
相違点（ｂ）、（ｃ）について
　引用例２には、テレビジョン放送番組中のコマーシャル位置を検出し、該コマーシャル位置を基にテレビジョン放送番組に含まれるコマーシャル部分をカットして再生することが記載されているから、引用発明において、「テレビジョン放送中のコマーシャル位置を検出する検出手段」を設け（相違点（ｂ））、「前記検出手段により検出された前記切替え位置に基づいて、当該ディジタル映像音声信号からコマーシャルメッセージ部分を除い」て再生すること（相違点（ｃ））は上記引用例２から当業者が容易に想到できたものである。
　
相違点（ｄ）について
　引用発明は、アーカイブ媒体（第１の記録媒体）からデータ・ストリームを再生した後、前記データ・ストリームを高速アクセス媒体（第２の記録媒体）に記録再生するものであり、アーカイブ媒体からの再生と高速アクセス媒体からの再生には所定時間の遅延が発生することは当業者においては自明のことであるから、引用発明において、「前記第１の記録再生手段において前記ディジタル映像音声信号を第１の時刻から第２の時刻にかけて再生した場合に、前記第２の記録再生手段において前記ディジタル映像音声信号が前記第１の時刻から所定時間遅延し、かつ前記第２の時刻よりも先行した第３の時刻から前記再生開始」することは当業者が適宜なし得る程度のことである。
　
　そして、上記相違点を総合的に判断しても、本願発明が奏する効果は引用例１および２から当業者が十分に予測できたものであって格別なものとはいえない。
　
　したがって、本願発明は、引用例１および２に記載された発明に基づいて当業者が容易に発明をすることができたものであるから、特許法第２９条第２項の規定により特許を受けることができない。
　
５．むすび
　以上のとおりであるから、本願の請求項１に係る発明は、特許法第２９条第２項の規定により特許を受けることができない。
　したがって、本願は、その余の請求項について論及するまでもなく拒絶すべきものである。
　よって、結論のとおり審決する。